(57)【要約】【課題】本発明は環境に優しくて移動に便利な廃物の燃焼炉を開示した。【解決手段】主体とベースとを含み、前記主体が前記ベースの頂部に固定され、前記主体の中には破砕空間が設置され、前記破砕空間の中には破砕機構が設置され、前記破砕機構はゴミを破砕することができ、前記破砕空間の右側には燃焼室が設置され、前記燃焼室の中でゴミを焼き払うことができ、また前記燃焼室の中には揺れ動き板機構が設置され、前記揺れ動き板機構はスクリーンを含み、ゴミが前記スクリーンに落ち、燃焼する時、前記スクリーンを揺らし、ゴミを十分に燃やせ、本発明の燃焼炉は自動的にゴミを破砕し、ゴミを粉々にし、その後、ゴミを自動的に燃焼室の中に押し込み、またスクリーンが揺れ動くことによってゴミを十分に燃焼させることができ、送風機構の送風によってゴミの燃焼がより十分になる。【選択図】図１
2020204453.tif 000002
【特許請求の範囲】
【請求項１】
主体とベースとを含み、前記主体が前記ベースの頂部に固定され、前記主体の中には破砕空間が設置され、前記破砕空間の中には破砕機構が設置され、前記破砕機構はゴミを破砕することができ、前記破砕空間の右側には燃焼室が設置され、前記燃焼室の中でゴミを焼き払うことができ、また前記燃焼室の中には揺れ動き板機構が設置され、前記揺れ動き板機構はスクリーンを含み、ゴミが前記スクリーンに落ち、燃焼する時、前記スクリーンを揺らし、ゴミを十分に燃やせ、また前記揺れ動き板機構と前記破砕機構とが連動して同じモーターによって動力を提供し、
前記燃焼室の右側にはファン空間が設置され、前記ファン空間の後側が外部空間と連通しており、前記ファン空間と前記燃焼室とが送風管路によって連通しており、前記送風管路が前記燃焼室の底壁に設置され、前記ファン空間の中には送風機構が設置され、前記送風機構は前記燃焼室の中に送風することができ、それによってゴミの燃焼をより十分にさせ、また前記送風機構と前記破砕機構とも同じモーターによって動力を提供し、前記破砕空間と前記燃焼室とが抜き穴によって連通しており、前記抜き穴の底壁にはスライド溝が形成されており、前記スライド溝の中には止め板がスライドできるように設置され、前記止め板は前記抜き穴を閉鎖することができ、それによって煙は前記燃焼室から前記破砕空間の中に入ることを防止することを特徴とする環境に優しくて移動に便利な廃物の燃焼炉。
【請求項２】
前記破砕機構は前記破砕空間の中に固定的に設置された固定破砕ローラーを含み、前記固定破砕ローラーの左右両側にはそれぞれ破砕軸が回転できるように設置され、前記破砕軸の外周にはいずれも回転破砕ローラーが固定的に設置され、前記回転破砕ローラーと前記固定破砕ローラーとが作動し合ってゴミを破砕し、前記破砕空間の前側には後側空間が設置され、前記破砕軸の後側がいずれも前記第一ベベルギヤの中に伸びており、また前記破砕軸の末端にはいずれも後側空間が固定的に設置され、前記後側空間の中には固定板が固定的に設置され、前記固定板の中には左右方向に伸びる第一回転軸が回転できるように設置され、前記第一回転軸の左右両側末端にはいずれも第二ベベルギヤが固定的に設置され、前記第二ベベルギヤが前記第一ベベルギヤと噛み合っていることを特徴とする請求項１に記載の環境に優しくて移動に便利な廃物の燃焼炉。
【請求項３】
前記後側空間の底部にはスライド空間が設置され、前記スライド空間と前記破砕空間との間には前後方向に伸びる第二回転軸が回転できるように設置され、前記第二回転軸の後側末端には回転インペラーが固定的に設置され、前記回転インペラーが前記破砕空間の中に位置しており、前記第二回転軸の前側末端には第三ベベルギヤが固定的に設置され、前記第三ベベルギヤが前記スライド空間の中に位置しており、前記スライド空間の左側には中部伝動空間が設置され、前記中部伝動空間の中には上下方向に伸びるように設置された縦軸が回転できるように設置され、前記縦軸の頂部の伸びている部分が前記後側空間の中に伸びており、また前記縦軸の頂部の伸びている部分の頂端には第四ベベルギヤが固定的に設置され、前記第四ベベルギヤが前記第一ベベルギヤと噛み合っており、前記中部伝動空間の中に位置している前記縦軸の外周には第五ベベルギヤが固定的に設置され、前記中部伝動空間の底部の前記ベースの中には前側矩形空間が設置され、前記縦軸の底部の伸びている部分が前記前側矩形空間の中に伸びており、また前記縦軸の底部の伸びている部分の末端には第六ベベルギヤが固定的に設置されていることを特徴とする請求項２に記載の環境に優しくて移動に便利な廃物の燃焼炉。
【請求項４】
前記前側矩形空間の後側には後側矩形空間が設置され、前記後側矩形空間と前記前側矩形空間との間には前後方向に伸びる底軸が回転できるように設置され、前記底軸の前側末端には第七ベベルギヤが固定的に設置され、前記第七ベベルギヤが前記第六ベベルギヤと噛み合っており、前記底軸の後端には伝動ベベルギヤが固定的に設置され、前記伝動ベベルギヤが前記後側矩形空間の中に位置しており、前記後側矩形空間の右側にはベルト溝が形成されており、前記ベルト溝の右壁の中には動力モーターが固定的に嵌められており、前記動力モーターと前記後側矩形空間との間には動力軸が回転できるように設置され、前記動力軸の右側と前記動力モーターとが動力が伝達できるように連結され、前記動力軸の左側末端には第八ベベルギヤが固定的に設置され、前記第八ベベルギヤが前記伝動ベベルギヤと噛み合っており、前記動力モーターは前記破砕機構に動力を提供することができることを特徴とする請求項３に記載の環境に優しくて移動に便利な廃物の燃焼炉。
【請求項５】
前記スライド空間の中にはスライド板がスライドできるように設置され、前記スライド板の中にはスプラインスリーブが回転できるように設置され、前記スプラインスリーブの右側には第九ベベルギヤが固定的に設置され、前記第九ベベルギヤは前記第三ベベルギヤと噛み合うことができ、前記スプラインスリーブの中には左右方向に伸びるように設置されたスプライン軸がスプラインによって嵌合され、前記スプライン軸と前記中部伝動空間の左壁とが回転できるように連結され、前記スプライン軸の左側末端には第十ベベルギヤが固定的に設置され、前記第十ベベルギヤが前記第五ベベルギヤと噛み合っており、前記スライド板の右側面と前記スライド空間の右壁との間にはばねが取り付けられていることを特徴とする請求項１に記載の環境に優しくて移動に便利な廃物の燃焼炉。
【請求項６】
前記止め板の左側の前記主体の中には動力ギヤが回転できるように設置され、前記動力ギヤが前記止め板と噛み合っており、前記動力ギヤの前側には小モーターが動力が伝達できるように連結され、前記小モーターが前記主体の中に固定的に嵌められており、前記動力ギヤには引き紐が巻き付いており、前記引き紐と前記スライド板とが固定されていることを特徴とする請求項５に記載の環境に優しくて移動に便利な廃物の燃焼炉。
【請求項７】
前記送風機構は前記ベルト溝の左側に設置された伝動空間を含み、前記伝動空間と前記ベルト溝との間には短軸が回転できるように設置され、前記短軸の右側の外周には従動プーリが固定的に設置され、前記ベルト溝の中に位置している前記動力軸の外周には動力プーリが固定的に設置され、前記動力プーリと前記従動プーリとがベルトによって連結され、前記伝動空間の中に位置している前記短軸の外周には大ギヤが固定的に設置され、前記ファン空間と前記伝動空間との間には送風回転軸が回転できるように設置され、前記送風回転軸の左側端面にはファンが固定的に設置され、前記伝動空間の中に位置している前記送風回転軸の外周には小ギヤが固定的に設置され、前記小ギヤが前記大ギヤと噛み合っており、また前記小ギヤの直径は前記大ギヤの直径より小さいことを特徴とする請求項１に記載の環境に優しくて移動に便利な廃物の燃焼炉。
【請求項８】
前記燃焼室の前側には小空き空間が設置され、前記小空き空間と前記燃焼室との間には揺れ動き軸が回転できるように設置され、前記揺れ動き軸の後側の外周には二つの固定ロッドが固定的に設置され、前記固定ロッドと前記スクリーンとが固定的に連結され、前記揺れ動き軸の前側末端には前記小空き空間の中に位置しているフェースギヤが固定的に設置され、前記フェースギヤの前端と前記小空き空間の前側端面との間にはトーションばねが取り付けられ、前記スプライン軸の右端には扇状ギヤが固定的に設置され、前記扇状ギヤが前記フェースギヤと噛み合うことができることを特徴とする請求項１に記載の環境に優しくて移動に便利な廃物の燃焼炉。
【請求項９】
前記燃焼室の頂面には排気管路が設置され、前記主体の右側面にはろ過機構が固定的に設置され、前記排気管路が前記ろ過機構の中に伸びており、廃ガスをろ過することができ、前記燃焼室の底壁には残渣溝が形成されており、前記残渣溝の後側面には扉体がヒンジで連結され、前記扉体を開けることによってゴミを燃やして残された残渣を排出することができ、前記主体の左側面にはゴミ送り込み漏斗が固定的に設置され、前記ゴミ送り込み漏斗と前記破砕空間とが連通しており、前記燃焼室の右壁には点火機構が固定的に設置され、前記点火機構はゴミに火をつけることができ、前記ベースの底面にはローラーが設置されていることを特徴とする請求項１に記載の環境に優しくて移動に便利な廃物の燃焼炉。
【発明の詳細な説明】
【技術分野】
【０００１】
本発明は燃焼技術分野に関わり、具体的には環境に優しくて移動に便利な廃物の燃焼炉である。  
【背景技術】
【０００２】
生活レベルは普遍的に高くなるにつれて、人によって生活で生み出されたゴミもますます多くなり、ゴミの処理も重要になり、伝統的なごみ処理の方法は一般的に燃焼と埋め立てとの二つの方法であり、埋め立ての方法は占用する土地の面積が大きく、そのため、よく燃焼の方法を利用してゴミを処理するのである。
伝統的な燃焼処理は屋外で行うのであり、またゴミの燃焼は不十分で、残されたゴミの残渣は排出されて二次汚染をもたらし、それに生み出された廃ガスは直接に空気に混じって大気を汚染する。
【先行技術文献】
【特許文献】
【０００３】
【特許文献１】中国特許出願公開第1213128号明細書
【発明の概要】
【発明が解決しようとする課題】
【０００４】
本発明の目的は環境に優しくて移動に便利な廃物の燃焼炉を提供するのであり、それは既存の技術にある上記の欠点を克服できる。
【課題を解決するための手段】
【０００５】
本発明の実施例の環境に優しくて移動に便利な廃物の燃焼炉は、主体とベースとを含み、前記主体が前記ベースの頂部に固定され、前記主体の中には破砕空間が設置され、前記破砕空間の中には破砕機構が設置され、前記破砕機構はゴミを破砕することができ、前記破砕空間の右側には燃焼室が設置され、前記燃焼室の中でゴミを焼き払うことができ、また前記燃焼室の中には揺れ動き板機構が設置され、前記揺れ動き板機構はスクリーンを含み、ゴミが前記スクリーンに落ち、燃焼する時、前記スクリーンを揺らし、ゴミを十分に燃やせ、また前記揺れ動き板機構と前記破砕機構とが連動して同じモーターによって動力を提供し、前記燃焼室の右側にはファン空間が設置され、前記ファン空間の後側が外部空間と連通しており、前記ファン空間と前記燃焼室とが送風管路によって連通しており、前記送風管路が前記燃焼室の底壁に設置され、前記ファン空間の中には送風機構が設置され、前記送風機構は前記燃焼室の中に送風することができ、それによってゴミの燃焼をより十分にさせ、また前記送風機構と前記破砕機構とも同じモーターによって動力を提供し、前記破砕空間と前記燃焼室とが抜き穴によって連通しており、前記抜き穴の底壁にはスライド溝が形成されており、前記スライド溝の中には止め板がスライドできるように設置され、前記止め板は前記抜き穴を閉鎖することができ、それによって煙は前記燃焼室から前記破砕空間の中に入ることを防止する。
【０００６】
さらなる技術プランには、前記破砕機構は前記破砕空間の中に固定的に設置された固定破砕ローラーを含み、前記固定破砕ローラーの左右両側にはそれぞれ破砕軸が回転できるように設置され、前記破砕軸の外周にはいずれも回転破砕ローラーが固定的に設置され、前記回転破砕ローラーと前記固定破砕ローラーとが作動し合ってゴミを破砕し、前記破砕空間の前側には後側空間が設置され、前記破砕軸の後側がいずれも前記第一ベベルギヤの中に伸びており、また前記破砕軸の末端にはいずれも後側空間が固定的に設置され、前記後側空間の中には固定板が固定的に設置され、前記固定板の中には左右方向に伸びる第一回転軸が回転できるように設置され、前記第一回転軸の左右両側末端にはいずれも第二ベベルギヤが固定的に設置され、前記第二ベベルギヤが前記第一ベベルギヤと噛み合っている。
【０００７】
さらなる技術プランには、前記後側空間の底部にはスライド空間が設置され、前記スライド空間と前記破砕空間との間には前後方向に伸びる第二回転軸が回転できるように設置され、前記第二回転軸の後側末端には回転インペラーが固定的に設置され、前記回転インペラーが前記破砕空間の中に位置しており、前記第二回転軸の前側末端には第三ベベルギヤが固定的に設置され、前記第三ベベルギヤが前記スライド空間の中に位置しており、前記スライド空間の左側には中部伝動空間が設置され、前記中部伝動空間の中には上下方向に伸びるように設置された縦軸が回転できるように設置され、前記縦軸の頂部の伸びている部分が前記後側空間の中に伸びており、また前記縦軸の頂部の伸びている部分の頂端には第四ベベルギヤが固定的に設置され、前記第四ベベルギヤが前記第一ベベルギヤと噛み合っており、前記中部伝動空間の中に位置している前記縦軸の外周には第五ベベルギヤが固定的に設置され、前記中部伝動空間の底部の前記ベースの中には前側矩形空間が設置され、前記縦軸の底部の伸びている部分が前記前側矩形空間の中に伸びており、また前記縦軸の底部の伸びている部分の末端には第六ベベルギヤが固定的に設置されている。
【０００８】
さらなる技術プランには、前記前側矩形空間の後側には後側矩形空間が設置され、前記後側矩形空間と前記前側矩形空間との間には前後方向に伸びる底軸が回転できるように設置され、前記底軸の前側末端には第七ベベルギヤが固定的に設置され、前記第七ベベルギヤが前記第六ベベルギヤと噛み合っており、前記底軸の後端には伝動ベベルギヤが固定的に設置され、前記伝動ベベルギヤが前記後側矩形空間の中に位置しており、前記後側矩形空間の右側にはベルト溝が形成されており、前記ベルト溝の右壁の中には動力モーターが固定的に嵌められており、前記動力モーターと前記後側矩形空間との間には動力軸が回転できるように設置され、前記動力軸の右側と前記動力モーターとが動力が伝達できるように連結され、前記動力軸の左側末端には第八ベベルギヤが固定的に設置され、前記第八ベベルギヤが前記伝動ベベルギヤと噛み合っており、前記動力モーターは前記破砕機構に動力を提供することができる。
【０００９】
さらなる技術プランには、前記スライド空間の中にはスライド板がスライドできるように設置され、前記スライド板の中にはスプラインスリーブが回転できるように設置され、前記スプラインスリーブの右側には第九ベベルギヤが固定的に設置され、前記第九ベベルギヤは前記第三ベベルギヤと噛み合うことができ、前記スプラインスリーブの中には左右方向に伸びるように設置されたスプライン軸がスプラインによって嵌合され、前記スプライン軸と前記中部伝動空間の左壁とが回転できるように連結され、前記スプライン軸の左側末端には第十ベベルギヤが固定的に設置され、前記第十ベベルギヤが前記第五ベベルギヤと噛み合っており、前記スライド板の右側面と前記スライド空間の右壁との間にはばねが取り付けられている。
【００１０】
さらなる技術プランには、前記止め板の左側の前記主体の中には動力ギヤが回転できるように設置され、前記動力ギヤが前記止め板と噛み合っており、前記動力ギヤの前側には小モーターが動力が伝達できるように連結され、前記小モーターが前記主体の中に固定的に嵌められており、前記動力ギヤには引き紐が巻き付いており、前記引き紐と前記スライド板とが固定されている。
【００１１】
さらなる技術プランには、前記送風機構は前記ベルト溝の左側に設置された伝動空間を含み、前記伝動空間と前記ベルト溝との間には短軸が回転できるように設置され、前記短軸の右側の外周には従動プーリが固定的に設置され、前記ベルト溝の中に位置している前記動力軸の外周には動力プーリが固定的に設置され、前記動力プーリと前記従動プーリとがベルトによって連結され、前記伝動空間の中に位置している前記短軸の外周には大ギヤが固定的に設置され、前記ファン空間と前記伝動空間との間には送風回転軸が回転できるように設置され、前記送風回転軸の左側端面にはファンが固定的に設置され、前記伝動空間の中に位置している前記送風回転軸の外周には小ギヤが固定的に設置され、前記小ギヤが前記大ギヤと噛み合っており、また前記小ギヤの直径は前記大ギヤの直径より小さい。
【００１２】
さらなる技術プランには、前記燃焼室の前側には小空き空間が設置され、前記小空き空間と前記燃焼室との間には揺れ動き軸が回転できるように設置され、前記揺れ動き軸の後側の外周には二つの固定ロッドが固定的に設置され、前記固定ロッドと前記スクリーンとが固定的に連結され、前記揺れ動き軸の前側末端には前記小空き空間の中に位置しているフェースギヤが固定的に設置され、前記フェースギヤの前端と前記小空き空間の前側端面との間にはトーションばねが取り付けられ、前記スプライン軸の右端には扇状ギヤが固定的に設置され、前記扇状ギヤが前記フェースギヤと噛み合うことができる。
【００１３】
さらなる技術プランには、前記燃焼室の頂面には排気管路が設置され、前記主体の右側面にはろ過機構が固定的に設置され、前記排気管路が前記ろ過機構の中に伸びており、廃ガスをろ過することができ、前記燃焼室の底壁には残渣溝が形成されており、前記残渣溝の後側面には扉体がヒンジで連結され、前記扉体を開けることによってゴミを燃やして残された残渣を排出することができ、前記主体の左側面にはゴミ送り込み漏斗が固定的に設置され、前記ゴミ送り込み漏斗と前記破砕空間とが連通しており、前記燃焼室の右壁には点火機構が固定的に設置され、前記点火機構はゴミに火をつけることができ、前記ベースの底面にはローラーが設置されている。
【発明の効果】
【００１４】
本発明の有益な効果は：本発明の燃焼炉は自動的にゴミを破砕し、ゴミを粉々にし、その後、ゴミを自動的に燃焼室の中に押し込み、またスクリーンが揺れ動くことによってゴミを十分に燃焼させることができ、送風機構の送風によってゴミの燃焼がより十分になり、燃焼して生み出された廃ガスはろ過機構のろ過作用によって排出され、大気への汚染を減少し、また本発明の燃焼炉は構成が簡単で、伝動が安定し、移動が便利である。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の環境に優しくて移動に便利な廃物の燃焼炉の内部全体構成概略図
【図２】図２は本発明の環境に優しくて移動に便利な廃物の燃焼炉の前側構成の断面図
【図３】図３は本発明の中の小モーターの概略図
【図４】図４は本発明の図１の中のＡの部分拡大概略図
【図５】図５は本発明の図２の中のＢの部分拡大概略図
【発明を実施するための形態】
【００１７】
図１〜５を参照し、本発明の実施例の環境に優しくて移動に便利な廃物の燃焼炉は、主体１０とベース１１とを含み、前記主体１０が前記ベース１１の頂部に固定され、前記主体１０の中には破砕空間３５が設置され、前記破砕空間３５の中には破砕機構９５が設置され、前記破砕機構９５はゴミを破砕することができ、前記破砕空間３５の右側には燃焼室８６が設置され、前記燃焼室８６の中でゴミを焼き払うことができ、また前記燃焼室８６の中には揺れ動き板機構９７が設置され、前記揺れ動き板機構９７はスクリーン４２を含み、ゴミが前記スクリーン４２に落ち、燃焼する時、前記スクリーン４２を揺らし、ゴミを十分に燃やせ、また前記揺れ動き板機構９７と前記破砕機構９５とが連動して同じモーターによって動力を提供し、前記燃焼室８６の右側にはファン空間５６が設置され、前記ファン空間５６の後側が外部空間と連通しており、前記ファン空間５６と前記燃焼室８６とが送風管路４５によって連通しており、前記送風管路４５が前記燃焼室８６の底壁に設置され、前記ファン空間５６の中には送風機構９６が設置され、前記送風機構９６は前記燃焼室８６の中に送風することができ、それによってゴミの燃焼をより十分にさせ、また前記送風機構９６と前記破砕機構９５とも同じモーターによって動力を提供し、前記破砕空間３５と前記燃焼室８６とが抜き穴３８によって連通しており、前記抜き穴３８の底壁にはスライド溝４９が形成されており、前記スライド溝４９の中には止め板３９がスライドできるように設置され、前記止め板３９は前記抜き穴３８を閉鎖することができ、それによって煙は前記燃焼室８６から前記破砕空間３５の中に入ることを防止する。
【００１８】
有益なまたは例示のように、前記破砕機構９５は前記破砕空間３５の中に固定的に設置された固定破砕ローラー３４を含み、前記固定破砕ローラー３４の左右両側にはそれぞれ破砕軸３７が回転できるように設置され、前記破砕軸３７の外周にはいずれも回転破砕ローラー３３が固定的に設置され、前記回転破砕ローラー３３と前記固定破砕ローラー３４とが作動し合ってゴミを破砕し、前記破砕空間３５の前側には後側空間８２が設置され、前記破砕軸３７の後側がいずれも前記第一ベベルギヤ６６の中に伸びており、また前記破砕軸３７の末端にはいずれも後側空間８２が固定的に設置され、前記後側空間８２の中には固定板６４が固定的に設置され、前記固定板６４の中には左右方向に伸びる第一回転軸６５が回転できるように設置され、前記第一回転軸６５の左右両側末端にはいずれも第二ベベルギヤ６３が固定的に設置され、前記第二ベベルギヤ６３が前記第一ベベルギヤ６６と噛み合っており、前記回転破砕ローラー３３の回転によってゴミを破砕することができる。
【００１９】
有益なまたは例示のように、前記後側空間８２の底部にはスライド空間８８が設置され、前記スライド空間８８と前記破砕空間３５との間には前後方向に伸びる第二回転軸５０が回転できるように設置され、前記第二回転軸５０の後側末端には回転インペラー３６が固定的に設置され、前記回転インペラー３６が前記破砕空間３５の中に位置しており、前記第二回転軸５０の前側末端には第三ベベルギヤ７６が固定的に設置され、前記第三ベベルギヤ７６が前記スライド空間８８の中に位置しており、前記スライド空間８８の左側には中部伝動空間８５が設置され、前記中部伝動空間８５の中には上下方向に伸びるように設置された縦軸６９が回転できるように設置され、前記縦軸６９の頂部の伸びている部分が前記後側空間８２の中に伸びており、また前記縦軸６９の頂部の伸びている部分の頂端には第四ベベルギヤ６７が固定的に設置され、前記第四ベベルギヤ６７が前記第一ベベルギヤ６６と噛み合っており、前記中部伝動空間８５の中に位置している前記縦軸６９の外周には第五ベベルギヤ６８が固定的に設置され、前記中部伝動空間８５の底部の前記ベース１１の中には前側矩形空間８９が設置され、前記縦軸６９の底部の伸びている部分が前記前側矩形空間８９の中に伸びており、また前記縦軸６９の底部の伸びている部分の末端には第六ベベルギヤ５２が固定的に設置され、前記縦軸６９の回転によって動力を前記破砕機構９５に伝達する。
【００２０】
有益なまたは例示のように、前記前側矩形空間８９の後側には後側矩形空間１３が設置され、前記後側矩形空間１３と前記前側矩形空間８９との間には前後方向に伸びる底軸１４が回転できるように設置され、前記底軸１４の前側末端には第七ベベルギヤ５１が固定的に設置され、前記第七ベベルギヤ５１が前記第六ベベルギヤ５２と噛み合っており、前記底軸１４の後端には伝動ベベルギヤ１５が固定的に設置され、前記伝動ベベルギヤ１５が前記後側矩形空間１３の中に位置しており、前記後側矩形空間１３の右側にはベルト溝１９が形成されており、前記ベルト溝１９の右壁の中には動力モーター２０が固定的に嵌められており、前記動力モーター２０と前記後側矩形空間１３との間には動力軸１７が回転できるように設置され、前記動力軸１７の右側と前記動力モーター２０とが動力が伝達できるように連結され、前記動力軸１７の左側末端には第八ベベルギヤ１６が固定的に設置され、前記第八ベベルギヤ１６が前記伝動ベベルギヤ１５と噛み合っており、前記動力モーター２０は前記破砕機構９５に動力を提供することができる。
【００２１】
有益なまたは例示のように、前記スライド空間８８の中にはスライド板８１がスライドできるように設置され、前記スライド板８１の中にはスプラインスリーブ７９が回転できるように設置され、前記スプラインスリーブ７９の右側には第九ベベルギヤ８０が固定的に設置され、前記第九ベベルギヤ８０は前記第三ベベルギヤ７６と噛み合うことができ、前記スプラインスリーブ７９の中には左右方向に伸びるように設置されたスプライン軸７５がスプラインによって嵌合され、前記スプライン軸７５と前記中部伝動空間８５の左壁とが回転できるように連結され、前記スプライン軸７５の左側末端には第十ベベルギヤ７８が固定的に設置され、前記第十ベベルギヤ７８が前記第五ベベルギヤ６８と噛み合っており、前記スライド板８１の右側面と前記スライド空間８８の右壁との間にはばね７０が取り付けられ、前記スライド板８１のスライドによって前記第九ベベルギヤ８０が前記第三ベベルギヤ７６と噛み合い、それによって前記回転インペラー３６が回転し、ゴミを前記燃焼室８６の中に入れる。
【００２２】
有益なまたは例示のように、前記止め板３９の左側の前記主体１０の中には動力ギヤ４７が回転できるように設置され、前記動力ギヤ４７が前記止め板３９と噛み合っており、前記動力ギヤ４７の前側には小モーター５４が動力が伝達できるように連結され、前記小モーター５４が前記主体１０の中に固定的に嵌められており、前記動力ギヤ４７には引き紐８７が巻き付いており、前記引き紐８７と前記スライド板８１とが固定され、前記動力ギヤ４７の回転によって前記スライド板８１を右方にスライド連動させ、それによって前記第九ベベルギヤ８０が前記第三ベベルギヤ７６と噛み合っており、それと同時に前記止め板３９が下方に移動し、それによって前記第二回転軸５０を回転できるようにさせ、ゴミを前記破砕空間３５から前記燃焼室８６の中に落とす。
【００２３】
有益なまたは例示のように、前記送風機構９６は前記ベルト溝１９の左側に設置された伝動空間５９を含み、前記伝動空間５９と前記ベルト溝１９との間には短軸６２が回転できるように設置され、前記短軸６２の右側の外周には従動プーリ６１が固定的に設置され、前記ベルト溝１９の中に位置している前記動力軸１７の外周には動力プーリ１８が固定的に設置され、前記動力プーリ１８と前記従動プーリ６１とがベルト２１によって連結され、前記伝動空間５９の中に位置している前記短軸６２の外周には大ギヤ６０が固定的に設置され、前記ファン空間５６と前記伝動空間５９との間には送風回転軸５７が回転できるように設置され、前記送風回転軸５７の左側端面にはファン５５が固定的に設置され、前記伝動空間５９の中に位置している前記送風回転軸５７の外周には小ギヤ５８が固定的に設置され、前記小ギヤ５８が前記大ギヤ６０と噛み合っており、また前記小ギヤ５８の直径は前記大ギヤ６０の直径より小さく、前記大ギヤ６０の回転によって前記小ギヤ５８が回転し、さらにファン５５が送風管路４５の中に送風する。
【００２４】
有益なまたは例示のように、前記燃焼室８６の前側には小空き空間７１が設置され、前記小空き空間７１と前記燃焼室８６との間には揺れ動き軸４０が回転できるように設置され、前記揺れ動き軸４０の後側の外周には二つの固定ロッド４１が固定的に設置され、前記固定ロッド４１と前記スクリーン４２とが固定的に連結され、前記揺れ動き軸４０の前側末端には前記小空き空間７１の中に位置しているフェースギヤ７３が固定的に設置され、前記フェースギヤ７３の前端と前記小空き空間７１の前側端面との間にはトーションばね７２が取り付けられ、前記スプライン軸７５の右端には扇状ギヤ７４が固定的に設置され、前記扇状ギヤ７４が前記フェースギヤ７３と噛み合うことができ、前記スプライン軸７５の回転によって前記扇状ギヤ７４に前記フェースギヤ７３を間欠的に回転連動させ、さらに前記スクリーン４２を揺れ動かせ、ゴミを揺らす。
【００２５】
有益なまたは例示のように、前記燃焼室８６の頂面には排気管路２３が設置され、前記主体１０の右側面にはろ過機構２２が固定的に設置され、前記排気管路２３が前記ろ過機構２２の中に伸びており、廃ガスをろ過することができ、前記燃焼室８６の底壁には残渣溝４６が形成されており、前記残渣溝４６の後側面には扉体４４がヒンジで連結され、前記扉体４４を開けることによってゴミを燃やして残された残渣を排出することができ、前記主体１０の左側面にはゴミ送り込み漏斗３２が固定的に設置され、前記ゴミ送り込み漏斗３２と前記破砕空間３５とが連通しており、前記燃焼室８６の右壁には点火機構９０が固定的に設置され、前記点火機構９０はゴミに火をつけることができ、前記ベース１１の底面にはローラー１２が設置され、それは装置の移動に便利である。
【００２６】
使用の時、最初にゴミをゴミ送り込み漏斗３２から破砕空間３５の中に入れ、その後、動力モーター２０を作動させることによって動力軸１７に第八ベベルギヤ１６を回転連動させ、さらに伝動ベベルギヤ１５を回転連動させ、底軸１４に第七ベベルギヤ５１を回転連動させ、さらに前記第六ベベルギヤ５２を回転させ、縦軸６９を回転させ、さらに第四ベベルギヤ６７に第一ベベルギヤ６６を回転連動させ、左右両側の回転破砕ローラー３３を回転させ、さらにゴミを破砕し、破砕を完成した後に小モーター５４を作動させ、止め板３９を下方にスライドさせ、またこの時に、引き紐８７によってスライド板８１を引き動かして右方に移動させ、さらに第九ベベルギヤ８０を第三ベベルギヤ７６と噛み合わせ、第五ベベルギヤ６８に第十ベベルギヤ７８を回転連動させ、また第九ベベルギヤ８０を回転連動させ、第三ベベルギヤ７６を回転させ、さらに回転インペラー３６を回転させ、ゴミを破砕空間３５の中からスクリーン４２に押出し、その後、小モーター５４を逆方向に回転させ、止め板３９を上方にスライドさせて抜き穴３８を閉鎖し、点火機構９０を作動させ、ゴミを燃やし、扇状ギヤ７４がフェースギヤ７３を回転連動させてスクリーン４２を揺れ動かせ、また動力プーリ１８が従動プーリ６１を回転連動させ、さらに大ギヤ６０に小ギヤ５８を回転連動させ、それによってファン５５が回転して送風し、廃ガスはろ過機構２２によってろ過されてから排出され、燃焼を完成した後に扉体４４を開けることによって残渣を取り出す。
【００２７】
本発明の有益な効果は：本発明の燃焼炉は自動的にゴミを破砕し、ゴミを粉々にし、その後、ゴミを自動的に燃焼室の中に押し込み、またスクリーンが揺れ動くことによってゴミを十分に燃焼させることができ、送風機構の送風によってゴミの燃焼がより十分になり、燃焼して生み出された廃ガスはろ過機構のろ過作用によって排出され、大気への汚染を減少し、また本発明の燃焼炉は構成が簡単で、伝動が安定し、移動が便利である。
【００２８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020204453.tif 000003
【図２】
2020204453.tif 000004
【図３】
2020204453.tif 000005
【図４】
2020204453.tif 000006
【図５】
2020204453.tif 000007